(57)【要約】【課題】受信復調信号にノイズが混入して受信された時のＵＷ信号の誤認識を防止することができるＵＷ信号の検出方法を提供することにある。【解決手段】受信信号に含まれているＵＷ信号を認識するために、受信信号と受信側で既知のＵＷ信号との相関値を算出する第一のステップと、相関値のピーク値が予め定めた第一のしきい値を越えるかのテストをする第二のステップと、第二のステップにおけるテストがｙｅｓである場合に、相関値のピーク値から相関値Ｓを算出し、相関値Ｓの周囲の相関値から相関値Ｎを算出し、更に、相関値Ｓ及び相関値Ｎの値からＳ／Ｎ比を算出する第三のステップと、第三のステップにおけるＳ／Ｎ比が予め定めた第二のしきい値を越えるかのテストをする第四のステップと、第四のステップにおけるテストがｙｅｓである場合にＵＷ信号の認識を示すＯＫ信号を出力する第五のステップとを備えた構成である。【選択図】      図１
2006148276.tif 000002
【特許請求の範囲】
【請求項１】
受信信号に含まれているＵＷ信号を認識するために、
前記受信信号と受信側で既知のＵＷ信号との相関値を算出する第一のステップと、
該相関値のピーク値が予め定めた第一のしきい値を越えるかのテストをする第二のステップと、
該第二のステップにおける前記テストがｙｅｓである場合に、前記相関値のピーク値から相関値Ｓを算出し、該相関値Ｓの周囲の相関値から相関値Ｎを算出し、更に、該相関値Ｓ及び該相関値Ｎの値からＳ／Ｎ比を算出する第三のステップと、
該第三のステップにおけるＳ／Ｎ比が予め定めた第二のしきい値を越えるかのテストをする第四のステップと、
該第四のステップにおける前記テストがｙｅｓである場合にＵＷ信号の認識を示すＯＫ信号を出力する第五のステップと、
を備えたＵＷ信号の検出方法。
【発明の詳細な説明】
【技術分野】
【０００１】
本発明は、受信復調信号に含まれているＵＷ信号の認識に関するものである。
【背景技術】
【０００２】
従来、受信復調信号に含まれているＵＷ（Unique Word ）信号の認識の方法として、図５に示すように、受信復調信号（１−１）と受信側で既知のＵＷ（１−２）信号との相関値算出（１−３）を行い、相関ピーク値（ｐ０）を算出し、この相関ピーク値（ｐ０）にしきい値（１−４）を設けて比較することで、受信復調信号内のＵＷ信号の認識判定を行っている。
【０００３】
図６は、この場合の動作を示すフロー図であって、動作開始のステップ（ＳＴ１０）、前記の相関値算出（１−３）を行うステップ（ＳＴ１１）、その相関ピーク値がしきい値を越えるかのテストをするステップ（ＳＴ１２）、このステトが「ｙｅｓ」のときに「ＵＷ認識ＯＫ」とするステップ（ＳＴ１５）、このテストが「ｎｏ」のときに「ＵＷ認識ＮＧ」とするステップ（ＳＴ１６）より成る。
【０００４】
しかし、この従来技術では、図７に示すように、ノイズ復調信号（２−１）の受信中においても、ＵＷ信号との相関値算出結果（２−２）、相関ピーク値（ｐ１、ｐ２、ｐ３）がしきい値（２−３）以上となった時に、ＵＷ信号であるとの誤認識をしてしまうことが起こり得る。これは、「ＵＷ認識ＯＫ」の状態で発生する誤認識である。
【０００５】
このような誤認識を防止するため、図５のしきい値１−４及び図７のしきい値２−３の如き高いレベルのしきい値ａの外にそのしきい値ａより低いレベルのしきい値ｂをも用いる図８に示す判定方法が提案されている（特許文献１参照）。
【特許文献１】特開平７−２５０１２０号公報（第３−４頁、図３）
【発明の開示】
【発明が解決しようとする課題】
【０００６】
しかし、この判定方法は、広帯域伝送におけるマルチパスによる周波数選択性フェージングを受けた受信復調信号に含まれるＵＷ信号と同期をとる際の誤同期の発生を回避するための提案であって、雑音による誤同期の発生を回避する機能はない。
【０００７】
本発明の目的は、受信復調信号にノイズが混入して受信された時のＵＷ信号の誤認識を防止することができるＵＷ信号の検出方法を提供することにある。
【課題を解決するための手段】
【０００８】
この課題を解決するために、本発明によるＵＷ信号の検出方法は、受信信号に含まれているＵＷ信号の認識に、ノイズに対する信号の割合を用いることで、ＵＷの誤認識防止をするように構成されている。
即ち、本発明によるＵＷ信号の検出方法は、受信信号に含まれているＵＷ信号を認識するために、
前記受信信号と受信側で既知のＵＷ信号との相関値を算出する第一のステップと、
該相関値のピーク値が予め定めた第一のしきい値を越えるかのテストをする第二のステップと、
該第二のステップにおける前記テストがｙｅｓである場合に、前記相関値のピーク値から相関値Ｓを算出し、該相関値Ｓの周囲の相関値から相関値Ｎを算出し、更に、該相関値Ｓ及び該相関値Ｎの値からＳ／Ｎ比を算出する第三のステップと、
該第三のステップにおけるＳ／Ｎ比が予め定めた第二のしきい値を越えるかのテストをする第四のステップと、
該第四のステップにおける前記テストがｙｅｓである場合にＵＷ信号の認識を示すＯＫ信号を出力する第五のステップと、
を備えた構成を有している。
【発明の効果】
【０００９】
本発明を実施することにより、雑音によるＵＷ信号の誤認識防止の効果を得ることができる。
【発明を実施するための最良の形態】
【００１０】
図面により実施例を示し、本発明を詳細に説明する。
図１は本発明の構成を示すブロック図である。
１は受信側を送信側のデータのタイミングに同期させるためにデータに付加された同期用の符号である予め定めたＵＷ（Unique Word ）を発生するＵＷ発生器である。
２は送信側から伝送され受信された受信復調信号とＵＷ発生器１から出力されるＵＷ符号との間で相互相関を算出し相関値を出力するＵＷ相関器である。
３はＵＷ相関器２の出力である相関値を概ね受信復調信号の１フレーム分の時間長の間メモリに蓄積し任意のタイミングで読み出した相関値を出力するようにした相関値バッファメモリである。
４は相関値バッファメモリ３の読み出しタイミングに整合させたタイミングに受信復調信号を出力させる受信復調信号バッファメモリである。
５は相関値バッファメモリ３から読み出した相関値が予め定めたしきい値を超えた相関ピーク値を検出し、相関ピーク値前後の任意の小幅の相関値を出力する相関ピーク値検出器である。
６は相関ピーク値検出器５の出力である相関ピーク値前後の任意の小幅の相関値を積算して電力量Ｓとした値を算出し出力する相関値Ｓ算出器である。
７は相関ピーク値検出器５の出力である相関ピーク値前後の任意の小幅の相関値以外の相関値を積算して電力量Ｎとした値を算出し出力する相関値Ｎ算出器である。
８は相関値Ｓ算出器６の出力である相関値Ｓと相関値Ｎ算出器７の出力である相関値Ｎとの比を算出し予め定めたしきい値と比較し結果として相関ピーク値選択信号を出力する相関値Ｓ／Ｎ算出・比較器である。
９は相関ピーク値検出器５の出力である相関ピーク値および相関値Ｓ／Ｎ算出・比較器８の出力である相関ピーク値選択信号を入力として、真の同期位置を示す相関ピーク値を判定し同期位置パルスを出力する同期位置判定器である。
１０は受信復調信号バッファメモリ４の出力である受信復調信号および同期位置判定器９の出力である同期位置パルスを入力として受信復調信号のフレーム同期位置が認識され、これによってデータ信号を出力するフレーム同期回路である。
【００１１】
本発明における受信復調信号内のノイズに対する信号の割合の求め方について以下に示す。図２はＵＷ相関器２の出力である相関値の時間軸波形であり、希望信号の成分量に比較し雑音の成分量が極めて少ない、良好な受信状況のときを模した相関値の特性図である。
図２に示すように、相関値バッファメモリ３から読み出した相関値が予め定めたしきい値（ａ０）を超えた相関ピーク値（ｐ０）を検出し、相関ピーク値（ｐ０）前後の任意の小幅（ｄ０）の相関値を積算して電力量Ｓとした値を算出し相関値Ｓ０（３−１）として得られた信号成分である。
また、相関値バッファメモリ３から読み出した相関値が予め定めたしきい値（ａ０）を超えた相関ピーク値（ｐ０）を検出し、相関ピーク値（ｐ０）前後の任意の小幅（ｄ０）を除いた範囲（ｅ）の相関値を積算して電力量Ｎとした値を算出し相関値Ｎ（３−２）として得られた雑音成分である。
得られた相関値Ｓ０（３−１）と相関値Ｎ（３−２）との比（Ｓ０／Ｎ）を算出し予め定めたＳ／Ｎ比を判定するしきい値と比較し結果としてＵＷ信号の認識に用いる。
【００１２】
図３はＵＷ相関器２の出力である相関値の時間軸波形であり、希望信号の成分量に比較し雑音の成分量が極めて多い、あるいは雑音の成分のみであるような、不良な受信状況のときを模した相関値の特性図である。
図３に示すように、相関値バッファメモリ３から読み出した相関値が予め定めたしきい値（ａ０）を超えた相関ピーク値（ｐ１、ｐ２、ｐ３）を検出し、相関ピーク値（ｐ１、ｐ２、ｐ３）それぞれの前後の任意の小幅（ｄ１、ｄ２、ｄ３）の相関値をそれぞれ積算して電力量Ｓ１、Ｓ２、Ｓ３とした値を算出し相関値Ｓ１、Ｓ２、Ｓ３として得られた複数の偽りを含む信号成分である。
また、相関値バッファメモリ３から読み出した相関値が予め定めたしきい値（ａ０）を超えた相関ピーク値（ｐ１、ｐ２、ｐ３）を検出し、相関ピーク値（ｐ１、ｐ２、ｐ３）のそれぞれの前後の任意の小幅（ｄ１、ｄ２、ｄ３）を除いた範囲（ｅ）の相関値を積算して電力量Ｎとした値を算出し相関値Ｎとして得られた雑音成分である。
得られた相関値Ｓ１、Ｓ２、Ｓ３と相関値Ｎとのそれぞれの比（Ｓ１／Ｎ、Ｓ２／Ｎ、Ｓ３／Ｎ）を算出し予め定めたＳ／Ｎ比を判定するしきい値と比較し結果として相関ピーク値選択信号を出力させＵＷ信号の認識に用いる。
このように、受信復調信号に雑音（ノイズ）が混入した時には、Ｎの値が高くなることによりＳ／Ｎ比の値が低くなる。
このことを用いてＳ／Ｎ比の値にしきい値を設けて比較することでノイズ受信時のＵＷの誤認識を防止し易くなる。
【００１３】
図３は、本発明の動作を示すフロー図であって、
ＵＷ認識を行う動作の開始ステップ（ＳＴ０）、
（ＳＴ０）ステップの後、ＵＷ相関器２にて、受信復調信号とＵＷ発生器１から出力される受信側で既知のＵＷ信号（符号列）との間で相関値の算出（１−３）を行うステップ（ＳＴ１）、
ステップ（ＳＴ１）の後、相関値相関ピーク値検出器５にて、算出された相関値からピーク値を求め、この相関値のピーク値が予め定めた第一のしきい値（ａ０）を超えるかのテストを行ない、超えていれば相関ピーク値（ｐ）として認識され、更に、相関ピーク値（ｐ）前後の任意の小幅（ｄ）の相関値を出力するステップ（ＳＴ２）、
このステップ（ＳＴ２）テストが「ｙｅｓ」の場合に、相関値Ｓ算出器６にて相関ピーク値（ｐ）前後の任意の小幅（ｄ）の相関値Ｓを算出し、相関値Ｎ算出器７にて、相関ピーク値（ｐ）前後の任意の小幅（ｄ）の相関値以外の相関値Ｎを算出し、相関値Ｓ／Ｎ算出・比較器８にて、相関値Ｓと相関値Ｎとの比である「Ｓ／Ｎ比」の値を算出するステップ（ＳＴ３）、
またステップ（ＳＴ２）のテストが「ｎｏ」のときに、「ＵＷ認識ＮＧ」となり、フレーム同期制御は行われず、ＵＷ認識を行う動作の終了とするステップ（ＳＴ６）、
次にステップ（ＳＴ３）の後、相関値Ｓ／Ｎ算出・比較器８にて、相関値Ｓと相関値Ｎとの比である「Ｓ／Ｎ比」の値を算出された結果、「Ｓ／Ｎ比」が予め定めたＳ／Ｎ比を判定する第２のしきい値を超えるかのテスト（比較テスト）を行うステップ（ＳＴ４）、
このステップ（ＳＴ４）テストが「ｙｅｓ」である場合に、受信信号に含まれているＵＷ信号を認識し「ＵＷ認識ＯＫ」を出力し、フレーム同期制御が行われ、ＵＷ認識を行う動作の終了とするステップ（ＳＴ５）、
ステップ（ＳＴ４）テストが「ｎｏ」のときに、「ＵＷ認識ＮＧ」となり、フレーム同期制御は行われず、ＵＷ認識を行う動作の終了とするステップ（ＳＴ６）、
によって構成されている。
【産業上の利用可能性】
【００１４】
本発明は、移動通信に用いられる受信装置における同期信号の検知等に適用することができる。
【図面の簡単な説明】
【００１５】
【図１】本発明の構成を説明するためのブロック図である。
【図２】本発明の構成及び作用を説明するための特性図である。
【図３】本発明の構成及び作用を説明するための特性図である。
【図４】本発明の動作を説明するためのフローチャートである。
【図５】従来技術を説明するための特性図である。
【図６】従来技術の動作を説明するためのフローチャートである。
【図７】従来技術の問題点を説明するための特性図である。
【図８】従来技術の問題点を説明する特性図である。
【符号の説明】
【００１６】
１  ＵＷ発生器
２  ＵＷ相関器
３  相関値バッファメモリ
４  受信復調信号バッファメモリ
５  相関ピーク値検出器
６  相関値Ｓ算出器
７  相関値Ｎ算出器
８  相関値Ｓ／Ｎ算出・比較器
９  同期位置判定器
１０  フレーム同期回路
【図１】
2006148276.tif 000003
【図２】
2006148276.tif 000004
【図３】
2006148276.tif 000005
【図４】
2006148276.tif 000006
【図５】
2006148276.tif 000007
【図６】
2006148276.tif 000008
【図７】
2006148276.tif 000009
【図８】
2006148276.tif 000010